【手続補正書】
【提出日】平成20年3月25日(2008.3.25)
【手続補正１】
【補正対象書類名】明細書
【補正対象項目名】００３４
【補正方法】変更
【補正の内容】
【００３４】
１例を挙げてリモート会議端末１４ｂによる画像情報２４の選択方法について説明する。各画面ＩＤ２２ａ〜２２ｄに対応する優先度情報２６ａ〜２６ｄが、「３，１，２，３」であるような送信情報１８を、ローカル会議端末１４ａが生成し、リモート会議端末１４ｂへ送信したとする。リモート会議端末１４ｂは、各送信情報１８ａ〜１８ｄから、優先度情報２６ａ〜２６ｄの値が小さい送信情報１８を、リモート会議端末１４ｂの画面数だけ選択する。上述した送信情報１８を、優先度情報２６の値が小さい（優先度が高い）順に並べると、画面ＩＤ２２は、画面ＩＤ２２ｂ（優先度情報＝１）、画面ＩＤ２２ｃ（優先度情報＝２）、画面ＩＤ２２ａ（優先度情報＝３）、画面ＩＤ２２ｄ（優先度情報＝３）の順に並び替えられる。リモート会議端末１４ｂは、２つの表示画面３０ａ，３０ｂを備えているので、これらの画面に画面ＩＤ２２ｂと画面ＩＤ２２ｃとに対応する画像情報２４を表示する。また、リモート会議端末１４ｂは、画面ＩＤ２２ｂで識別される送信情報１８ｂのフォーカス情報２８が「１」であることを検出し、画像情報２４ｂを他と異なる形態で表示する。
【手続補正２】
【補正対象書類名】明細書
【補正対象項目名】００３５
【補正方法】変更
【補正の内容】
【００３５】
このように、リモート会議端末１４ｂが、画面３０に表示する画像情報２４を選択するためには、ローカル会議端末１４ａが各画像情報２４ａ〜２４ｄに対して、リモート会議端末１４ｂにおいて画像情報２４を画面表示するか否かの判断基準となる優先度情報２６ａ〜２６ｄを割り当て、リモート会議端末１４ｂへ送信する。リモート会議端末１４ｂは、各優先度情報２６ａ〜２６ｄに基づいて、優先度情報２６の値の小さい（優先度が高い）順にリモート会議端末１４ｂの画面数だけ画像情報２４を選択する。以上で、本実施の形態における概要の説明を終了する。
【手続補正３】
【補正対象書類名】明細書
【補正対象項目名】００４４
【補正方法】変更
【補正の内容】
【００４４】
フォーカス決定処理部５２は、発表者が説明に用いている画像情報２４を表示している画面２０を特定するフォーカス情報２８の値を決定する役割を有する。フォーカス決定処理部５２は、行為検出部４８から行為画面の画面ＩＤ２２と行為種類を受信し、これらの情報を基に発表者が説明に用いている画像情報２４を識別するためのフォーカス情報２８を生成する。フォーカス決定処理部５２は、内部に記憶部ｍ２（図示せず）を備えており、各画面ＩＤ２２ａ〜２２ｄと対応するフォーカス情報２８を記憶部ｍ２に保持する。また、フォーカス決定処理部５２は、各画面ＩＤ２２ａ〜２２ｄと各画面ＩＤ２２ａ〜２２ｄに対応するフォーカス情報２８を送信情報生成部５６へ送信する。
【手続補正４】
【補正対象書類名】明細書
【補正対象項目名】００４６
【補正方法】変更
【補正の内容】
【００４６】
送信情報生成部５６は、リモート会議端末１４ｂに送信する送信情報１８を生成する役割を有する。送信情報生成部５６は、フォーカス決定処理部５２からフォーカス情報２８を受信し、プライオリティ決定部５４から優先度情報２６を受信し、表示制御処理部４０から画像情報２４を受信し、受信したこれらの情報に従って送信情報１８を生成し、通信処理部６０へ送信する。送信情報生成部５６は、内部に記憶部ｍ４（図示せず）を備え、記憶部ｍ４に、各画面ＩＤ２２ａ〜２２ｄに対応させて、画面役割２３、優先度情報２６、イベント種類２５、イベント受信時刻２７を保持する。送信情報生成部５６は、記憶部ｍ４に保持された情報と表示制御処理部４０から受信した画像情報２４を基に、送信情報１８を生成する。
【手続補正５】
【補正対象書類名】明細書
【補正対象項目名】００５３
【補正方法】変更
【補正の内容】
【００５３】
画面割付処理部６４は、リモート会議端末１４ｂの各画面３０ａ，３０ｂに、受信した送信情報１８に含まれる画面ＩＤ２２を割り当てる機能を有する。画面割付処理部６４は、内部に記憶部ｍ５（図示せず）を備え、リモート会議端末１４ｂの各画面３０ａ，３０ｂを特定するための識別子であるリモート画面ＩＤ３２と、リモート会議端末１４ｂの画面３０に表示させる画像情報２４を含む送信情報１８の画面ＩＤ２２を、対応付けて保持する。
【手続補正６】
【補正対象書類名】明細書
【補正対象項目名】００５９
【補正方法】変更
【補正の内容】
【００５９】
ここで、ローカル会議端末１４ａからリモート会議端末１４ｂへ送信される送信情報１８のデータ構成について図１０を用いて説明する。図１０に示す送信情報１８は、図３に示す送信情報１８を詳細にした情報である。そのため、同じ役割を有する情報に関しては、同一の符号で記載している。送信情報１８は、画面ＩＤ２２、画像情報２４、優先度情報２６、フォーカス情報２８、画面役割２３、イベント種類（「行為種類」ともいう）２５、イベント受信時刻２７、から構成される。
【手続補正７】
【補正対象書類名】明細書
【補正対象項目名】００６５
【補正方法】変更
【補正の内容】
【００６５】
イベント受信時刻２７は、上記に示したイベント種類２５をプライオリティ決定部９２が受信した時刻を示す。この数値が大きいほど、プライオリティ決定部９２がイベント種類２５を受信した時刻が遅いことを表す。
【手続補正８】
【補正対象書類名】明細書
【補正対象項目名】００７７
【補正方法】変更
【補正の内容】
【００７７】
互いの行為種類が異なる場合（Ｓ９／ＮＯ）、行為検出部４８は、記憶部ｍ１に対し、行為画面に対応する行為種類の情報を、画像解析の結果得られた行為種類に更新する（Ｓ１０）。そして、行為画面の画面ＩＤ２２と行為画面に対応する行為種類の情報を、フォーカス決定処理部５２とプライオリティ決定部５４へ送信する（Ｓ１１）。一方、互いの行為種類が一致する場合（Ｓ９／ＹＥＳ）、行為検出部４８は、Ｓ１０の処理を実行せずに、即ち記憶部ｍ１の情報を更新せずに、Ｓ１１の処理を実行する。
【手続補正９】
【補正対象書類名】明細書
【補正対象項目名】０１０８
【補正方法】変更
【補正の内容】
【０１０８】
画面割付処理部６４は、画面役割２３の値が「１」である送信情報１８の画面ＩＤ２２を取得する。本実施の形態では、送信情報１８ｃの画面役割２３の値が「１」であるため、画面割付処理部６４は画面ＩＤ２２ｃを取得する。尚、画面役割２３の値は、ローカル会議端末１４ａにおいて予め各送信情報１８ａ〜１８ｄに割り当てられており、リモート会議端末１４ｂにおいてその値は変化しない。続いて、画面割付処理部６４は、フォーカス情報２８の値が「１」である画面ＩＤ２２を取得する。また、画面割付処理部６４はリモート会議端末１４ｂにおけるメイン画面の識別子であるリモート画面ＩＤ３２を取得する。本実施の形態では、リモート会議端末１４ｂの画面３０ｂがメイン画面としているため、画面割付処理部６４は画面３０ｂに対応しているリモート画面ＩＤ３２ｂを取得する（Ｓ８０）。
【手続補正１０】
【補正対象書類名】明細書
【補正対象項目名】０１１６
【補正方法】変更
【補正の内容】
【０１１６】
画面割付処理部６４は、Ｓ８６で取得した比較対象である送信情報１８における画像情報２４が、リモート会議端末１４ｂの各画面３０ａ，３０ｂのいずれかに表示されているか否か判断する。具体的には以下の処理を実行する。画面割付処理部６４は、表示状態保持部６８からリモート画面ＩＤ３２ａ，３２ｂに対応付けられた画面ＩＤ２２を取得する。即ち、リモート会議端末１４ｂの各画面３０ａ，３０ｂにおいて既に表示されている画像情報２４を含む送信情報１８を取得する。続いて、画面割付処理部６４は、ステップＳ８６において取得した送信情報１８の画面ＩＤ２２と表示状態保持部６８から取得した画面ＩＤ２２を比較し、一致するか否か判断する。即ち、比較対象である送信情報１８の画面ＩＤ２２が、リモート会議端末１４ｂの各画面３０ａ，３０ｂにおいて既に表示されている画像情報２４に対応する画面ＩＤ２２のいずれかと一致するか否か判断する（Ｓ８７）。
【手続補正１１】
【補正対象書類名】明細書
【補正対象項目名】０１２８
【補正方法】変更
【補正の内容】
【０１２８】
以上のように、ローカル会議端末１４ａは、リモート会議端末１４ｂに、画像情報２４と画像情報２４に割り当てられた優先度情報２６、イベント種類２５、イベント受信時刻２７を送信し、リモート会議端末１４ｂに、これらの情報に基づいて画像情報２４を選択させることができる。
【手続補正１２】
【補正対象書類名】明細書
【補正対象項目名】０１４７
【補正方法】変更
【補正の内容】
【０１４７】
続いて、リモート会議端末１４ｂにおいて、リモート会議端末１４ｂの画面に表示される画像情報と、各画面における表示の形態について図１４を用いて説明する。図１４は、ローカル会議室１２ａにおいて図１３に示すとおりにプレゼンテーションが行なわれた場合における、リモート会議端末１４ｂの画面に表示される画像情報、および画面の表示形態を示している。尚、リモート会議端末１４ｂにおける画面表示処理について説明する場合、ローカル会議端末１４ａの送信情報生成処理に対応するステップに対し「’」をつける。尚、リモート会議端末１４ｂにおいて画面３０ｂがメイン画面として予め設定される。
【手続補正１３】
【補正対象書類名】明細書
【補正対象項目名】０１５５
【補正方法】変更
【補正の内容】
【０１５５】
表示制御処理部６２は、画面ＩＤ２２ｂによって特定される送信情報１８ｂの優先度情報２６の値が「３」に変更された送信情報１８を受信する。この場合、画面ＩＤ２２ｄによって特定される送信情報１８ｄの優先度情報２６の値が、送信情報１８ｂの優先度情報２６の値より小さい（優先度が高い）ため、リモート会議端末１４ｂの画面３０ａに画面ＩＤ２２ｄが割り当てられる（図１４の８０４’）。
【手続補正１４】
【補正対象書類名】図面
【補正対象項目名】図１２
【補正方法】変更
【補正の内容】
【図１２】
2007004573.tif 000001